(57)【要約】【課題】上面をフイルムからなる銘板で覆う構造のスイッチ板であっても容易に二段押圧型のスイッチを構成でき、且つその作動感覚が良い、スイッチ板を提供する。【解決手段】上部から押圧することで二段階にオンする構造の二段スイッチ１０と、二段スイッチ１０の上部に設置される作動型物７０と、上下に貫通して作動型物７０を独立して上下動自在に収納する作動型物収納部９１を有するケース９０と、可撓性を有するフイルムからなりケース９０の作動型物収納部９１を覆うようにケース９０上面に取り付く銘板１１０とを具備する。銘板１１０の上から作動型物７０を押圧することで、二段スイッチ１０を押圧操作する。【選択図】図４
2005293888.tif 000002
【特許請求の範囲】
【請求項１】
上部から押圧することで二段階にオンする構造の二段スイッチと、
前記二段スイッチの上部に設置する作動型物と、
前記作動型物を収納する作動型物収納部を有するケースと、
可撓性を有するフイルムからなり、前記ケースの作動型物収納部を覆ってケース上面に取り付く銘板とを具備し、
前記銘板の上から前記作動型物を押圧することで、前記二段スイッチを押圧操作することを特徴とするスイッチ板。
【請求項２】
一つのケースに複数の作動型物収納部を設け、
前記複数の作動型物収納部の内部にそれぞれ作動型物を配置し、
前記複数の作動型物の内の一部の作動型物の下側には二段階にオンする構造の二段スイッチを設置し、
他の作動型物の下側には一段階にオンする構造のスイッチを設置し、
さらに前記ケースの両作動型物収納部の上を可撓性を有するフイルムからなる銘板によって覆ったことを特徴とするスイッチ板。
【請求項３】
前記ケースに設けられる作動型物収納部は二つであり、
一方の作動型物収納部の内部に配置した作動型物の下側に前記二段階にオンする構造の二段スイッチを配置し、
他方の作動型物収納部の内部に配置した作動型物の下側に前記一段階にオンする構造のスイッチを配置したことを特徴とする請求項２に記載のスイッチ板。
【請求項４】
前記二段階にオンする構造の二段スイッチの上部に配置される作動型物は、前記ケースの作動型物収納部内に独立して上下動自在に収納されており、
一方前記一段階にオンする構造のスイッチの上部に配置される作動型物は、ヒンジによってケースに連結されていることを特徴とする請求項３に記載のスイッチ板。
【請求項５】
基板上に金属板をドーム形状に形成してなる反転板を取り付けることで構成されるスイッチを二組具備し、
これら二組のスイッチを両者の反転板が対向するように重ね合わせるとともに、
前記対向する反転板の膨出している中央部分同士の間に、反転板よりも小径の押圧シートを貼り付けたことを特徴とする二段スイッチ。
【発明の詳細な説明】
【技術分野】
【０００１】
本発明は、その上面をフイルムからなる銘板で覆う構造のスイッチ板、及び薄型化に好適な二段スイッチに関するものである。
【背景技術】
【０００２】
従来、特許文献１の図１に示すように、基板上に取り付けた可動接点板（反転板）の上にキートップの押圧部を配置し、更にその上面を合成樹脂フイルム製の銘板で覆う構造のスイッチ板がある。このスイッチ板は、銘板の上を指等で押圧することで銘板を下方向に撓ませ、これによってキートップの押圧部を下降して、反転板を反転し、そのスイッチをオンする。
【０００３】
しかしながらこの従来例のように、上面をフイルムからなる銘板で覆う構造のスイッチ板の中には、従来、銘板を押圧することで一段目のスイッチがオンし、さらに押圧することで二段目のスイッチがオンする構造の二段スイッチはなく、何れも一段のスイッチだけで構成されていた。また同様に、上面をフイルムからなる銘板で覆う構造のスイッチ板の中には、従来、一段スイッチと二段スイッチとを一体に設置したコンパクトな構造のものもなかった。
【０００４】
一方、上面をフイルムからなる銘板で覆う構造のスイッチ板ではないが、薄型の二段スイッチとして、特許文献２の例えば図７には、フレキシブル基板上に反転板（可動接点板）を取り付けることで構成されるスイッチを二組具備し、これら反転板を内向きに対向するように重ね合わせ、このとき両反転板の間に印刷によって形成された押圧部を有するフレキシブル基板を挟み込んで構成した二段スイッチが開示されている。
【０００５】
しかしながらこの二段スイッチは、前記フレキシブル基板に形成される押圧部を印刷によって形成しなければならないので煩雑な上、この押圧部を精度良く両反転板の中央位置に設置するためにフレキシブル基板の位置決めを行わなければならず、その製造・組み立てが煩雑であった。
【特許文献１】特開２０００−１８８０３６号公報
【特許文献２】特開２００３−１２３５８７号公報
【発明の開示】
【発明が解決しようとする課題】
【０００６】
本発明は上述の点に鑑みてなされたものでありその目的は、上面をフイルムからなる銘板で覆う構造のスイッチ板であっても容易に二段押圧型のスイッチを構成でき、またその作動感覚が良い、スイッチ板を提供することにある。
【０００７】
また本発明の目的は、容易に一段スイッチと、二段スイッチとを一体化してコンパクトに設置することができるスイッチ板を提供することにある。
【０００８】
また本発明の目的は、製造が容易で、薄型化も図れる二段スイッチを提供することにある。
【課題を解決するための手段】
【０００９】
本願請求項１に記載の発明は、上部から押圧することで二段階にオンする構造の二段スイッチと、前記二段スイッチの上部に設置する作動型物と、前記作動型物を収納する作動型物収納部を有するケースと、可撓性を有するフイルムからなり、前記ケースの作動型物収納部を覆ってケース上面に取り付く銘板とを具備し、前記銘板の上から前記作動型物を押圧することで、前記二段スイッチを押圧操作することを特徴とするスイッチ板にある。
【００１０】
本願請求項２に記載の発明は、一つのケースに複数の作動型物収納部を設け、前記複数の作動型物収納部の内部にそれぞれ作動型物を配置し、前記複数の作動型物の内の一部の作動型物の下側には二段階にオンする構造の二段スイッチを設置し、他の作動型物の下側には一段階にオンする構造のスイッチを設置し、さらに前記ケースの両作動型物収納部の上を可撓性を有するフイルムからなる銘板によって覆ったことを特徴とするスイッチ板にある。
【００１１】
本願請求項３に記載の発明は、前記ケースに設けられる作動型物収納部は二つであり、一方の作動型物収納部の内部に配置した作動型物の下側に前記二段階にオンする構造の二段スイッチを配置し、他方の作動型物収納部の内部に配置した作動型物の下側に前記一段階にオンする構造のスイッチを配置したことを特徴とする請求項２に記載のスイッチ板にある。
【００１２】
本願請求項４に記載の発明は、前記二段階にオンする構造の二段スイッチの上部に配置される作動型物は、前記ケースの作動型物収納部内に独立して上下動自在に収納されており、一方前記一段階にオンする構造のスイッチの上部に配置される作動型物は、ヒンジによってケースに連結されていることを特徴とする請求項３に記載のスイッチ板にある。
【００１３】
本願請求項５に記載の発明は、基板上に金属板をドーム形状に形成してなる反転板を取り付けることで構成されるスイッチを二組具備し、これら二組のスイッチを両者の反転板が対向するように重ね合わせるとともに、前記対向する反転板の膨出している中央部分同士の間に、反転板よりも小径の押圧シートを貼り付けたことを特徴とする二段スイッチにある。
【発明の効果】
【００１４】
請求項１に記載の発明によれば、上面をフイルムからなる銘板で覆う構造のスイッチ板であっても、容易に二段押圧型のスイッチ板を構成できる。
【００１５】
請求項２，請求項３に記載の発明によれば、一つのケースに二段スイッチと一段スイッチとを容易にコンパクトに併設することができる。
【００１６】
請求項４に記載の発明によれば、二段スイッチの上部に配置される作動型物を、ケースの作動型物収納部内に独立して上下動自在に収納したので、この作動型物を下降させるための押圧力が不要になり、たとえ二段のためにストロークが長くなって銘板を撓ませる量が大きくなっても、その押圧力をそれほど大きくすることはなく、従って作動感覚の良いスイッチを提供できる。
【００１７】
請求項５に記載の発明によれば、一対の対向する反転板の膨出している中央部分同士の間に押圧シートを貼り付けるだけの簡単な構造で、操作感覚と耐久性が良く、製造が容易で薄型化も容易に図れる二段スイッチを構成できる。
【発明を実施するための最良の形態】
【００１８】
以下、本発明の実施形態を図面に基づいて詳細に説明する。図１は本発明の第一実施形態にかかるスイッチ板１の分解斜視図、図２はスイッチ板１の製造方法説明図、図３はスイッチ板１の斜視図、図４はスイッチ板１の断面拡大図である。図１に示すようにスイッチ板１は、下記する二段スイッチ１０及び一段スイッチ３０を形成したフレキシブル基板４０と、前記二段スイッチ１０の上部に設置される第一の作動型物７０と、前記第一の作動型物７０を収納するとともに第二の作動型物８０を内蔵してなるケース９０と、前記ケース９０の上を覆う銘板１１０と、を具備して構成されている。以下各構成部品について説明する。
【００１９】
フレキシブル基板４０は、可撓性を有する略長方形状の合成樹脂フイルム（例えばポリエチレンテレフタレート（ＰＥＴ）フイルム）４１上に形成した三つのスイッチ接点パターン４３，４５，４７上に、それぞれ反転板４９，５１，５３を貼り付けることでスイッチ４４，４６，４８を構成し、さらに反転板５１上に押圧シート５４を貼り付けて構成されている。なお反転板４９と反転板５１の反転時に必要な押圧力は、異ならせており、この実施形態では反転板４９の方を反転板５１よりも弱い押圧力で反転するようにしている（反対でも良い）。
【００２０】
ここでフレキシブル基板４０は、長方形状であってスイッチ接点パターン４５とスイッチ接点パターン４７とを設けた基部５５と、基部５５の短手方向の幅寸法よりも小さい幅寸法の帯状の連結部５７を介して連結される可動部５９と、基部５５の長手方向の一側辺の略中央から突出する引出部６１とを具備している。可動部５９は略矩形状であり、前記基部５５の短手方向の幅寸法よりも小さく、且つ連結部５７の短手方向の幅寸法よりも大きい幅寸法に形成され、且つその長手方向に沿う両側辺の中央部は前記反転板４９が載置できるように円弧状に突出している。そして基部５５のスイッチ接点パターン４７を設けた側の端部近傍と、両スイッチ接点パターン４５，４７との間には、下記するケース９０の係合部１０８，１０９を挿入する係止孔６３，６５が設けられている。また各スイッチ接点パターン４３，４５，４７は、円形の中央接点パターンａ１とその周囲をコ字状に囲む外周接点パターンａ２とによって構成されており、図示はしていないが、何れのスイッチ接点パターン４３，４５，４７からも回路パターンが引き出されて引出部６１に導かれている。また反転板４９，５１，５３は、何れも弾性金属板を押圧方向に対向して膨出するドーム形状に成形して構成されている。
【００２１】
押圧シート５４は合成樹脂フイルム（例えばＰＥＴフイルム）や不織布等のシートを、反転板５１よりも小径の円板状に形成して構成されており、その下面には接着層が設けられている。
【００２２】
次に第一の作動型物７０は、薄板状の合成樹脂成形品であり、その外形形状は、前記フレキシブル基板４０の可動部５９の外形形状と略同一寸法形状に、即ち略矩形状で且つその長手方向に沿う両側辺の中央部を円弧状に突出して構成されている。第一の作動型物７０の上面中央には、上方向に円柱状に突出する小突起からなる押圧部７１が設けられている。また第一の作動型物７０の下面はその全面が平面状に形成されている。
【００２３】
ケース９０は合成樹脂を略長方形状（その両端辺を円弧状）に成形して構成されており、その外形形状は前記フレキシブル基板４０の外形形状とほぼ同一に形成されている。そして前記フレキシブル基板４０のスイッチ接点パターン４５に対向する位置には作動型物収納部９１が設けられ、スイッチ接点パターン４７に対向する位置には作動型物収納部９３が設けられている。言い換えれば、ケース９０は、その外周を囲む外周枠体９０ａの内部を複数（この実施形態では二つ）に仕切るように内部枠体９０ｂを設けることで構成されている。作動型物収納部９１は上下に貫通する貫通孔であって、その形状は前記第一の作動型物７０と略同一の形状であり、この第一の作動型物７０を水平のまま独立して上下動自在にガイドする形状に形成されている。つまり第一の作動型物７０の外形形状よりも少し大きい略矩形状であって、その長手方向に沿う両側辺の中央部を円弧状に突出して構成されている。また作動型物収納部９１の一端部（前記フレキシブル基板４０の連結部５７側）には、連結部５７を収納する連結部収納部９５が設けられている。連結部収納部９５の幅は連結部５７の幅よりも若干大きい幅寸法に形成されている。
【００２４】
作動型物収納部９３は前記作動型物収納部９１と略同一の形状を有し、その内側壁から作動型物収納部９３の内側方向に向けて突出するヒンジ部９７の先端に円板状の第二の作動型物８０を設け、さらに作動型物収納部９３の内部を覆う補強板部１０７を設けて構成されている。ヒンジ部９７は薄板帯状に形成されており、作動型物８０を作動型物収納部９３内においてケース９０に連結している。第二の作動型物８０は作動型物収納部９３の略中央に位置し、薄板円板状の基部１０１の上面中央に小突起状の操作部１０３を設け、また基部１０１の下面中央の前記操作部１０３に対向する位置にも小突起状の押圧操作部１０５（図４参照）を設けている。補強板部１０７は作動型物収納部９３の内側壁の略全体に連結された薄板によって構成されており、前記第二の作動型物８０の基部１０１とヒンジ部９７の部分を除く作動型物収納部９３全体を覆うように構成されている。この補強板部１０７は、小型でしかも二つの作動型物収納部９１，９３を設けることでその機械的強度が弱くなるケース９０を補強するために設けられている。またケース９０の下面の前記フレキシブル基板４０に設けた係止孔６３，６５に対向する位置には、これら係止孔６３，６５に挿入される突起状の係合部１０８，１０９（図４参照）が設けられている。
【００２５】
銘板１１０は可撓性を有する合成樹脂フイルム（例えばＰＥＴフイルム）製であり、前記ケース９０の外形形状と略同一外形形状、即ち略長方形状でその両端辺を円弧状に形成した外形形状に構成されている。そしてその上面には図示しない所望の外装用の印刷が施されている。
【００２６】
なお図１において、フレキシブル基板４０の下面側に配置されているのは両面接着シート１２０であり、またケース９０と銘板１１０の間に設置されているのも両面接着シート１３０であり、第一の作動型物７０の下面側に設置されているのも両面接着シート１４０である。両面接着シート１２０は、合成樹脂や不織布等のシートの両面に接着層を設けた構成であり、ケース９０の外形形状と略同一の外形形状、すなわち略長方形状でその両端辺を円弧状に形成した外形形状に構成されており、フレキシブル基板４０に設けた係止孔６３，６５に対向する位置にそれぞれそれらよりも大きい径の係止孔１２１，１２３を設けている。両面接着シート１２０の下面には、図示はしないがこのスイッチ１を電子機器に貼り付ける際に剥がす紙又は合成樹脂フイルム等からなるセパレートシートが貼り付けられている。また両面接着シート１３０は、合成樹脂や不織布等のシートの両面に接着層を設けた構成であり、ケース９０の外形形状と略同一の外形形状、すなわち略長方形状でその両端辺を円弧状に形成した外形形状であって、ケース９０の二つの作動型物収納部９１，９３に対向する部分に、これら作動型物収納部９１，９３と同一形状の貫通孔１３１，１３３を設けて構成されている。両面接着シート１４０は、合成樹脂や不織布等のシートの両面に接着層を設けた構成であり、第一の作動型物７０の外形形状と略同一の外形形状に構成されている。
【００２７】
そしてこのスイッチ板１を組み立てるには、まずフレキシブル基板４０の各スイッチ接点パターン４３，４５，４７の上に、それぞれ反転板４９，５１，５３を図示しない粘着テープ等によって貼り付ける。このときドーム形状に形成された各反転板４９，５１，５３の外周辺は各スイッチ接点パターン４３，４５，４７の外周接点パターンａ２に当接し、一方各反転板４９，５１，５３の押圧方向に対向して膨出する部分の中央下面と中央接点パターンａ１とは所定距離離間する。次に中央の反転板５１の膨出している上面中央部分に押圧シート５４を貼り付ける。押圧シート５４は貼り付けられるので、その位置がずれることはない。
【００２８】
次に反転板４９を貼り付けた可動部５９を反転板５１を貼り付けたスイッチ４６の上に連結部５７を折り曲げることで重ね合わせる。次に図２に示すように、重ね合わせた可動部５９の上面（即ち反転板４９を貼り付けた面の反対側の面）に両面接着シート１４０によって第一の作動型物７０の下面を貼り付ける。なお第一の作動型物７０の可動部５９への貼り付けは、可動部５９をスイッチ４６の上に折り返す前に行っても良いことはいうまでもない。そしてフレキシブル基板４０の下面に両面接着シート１２０を貼り付ける。
【００２９】
一方前記ケース９０の上面に両面接着シート１３０によって銘板１１０を貼り付ける。そしてフレキシブル基板４０上に銘板１１０を貼り付けたケース９０を載置し、そのときケース９０の下面から突出する二本の係合部１０８，１０９（図４参照）をフレキシブル基板４０に設けた係止孔６３，６５に挿入し、係合部１０８，１０９の先端をフレキシブル基板４０の下面側で熱カシメすれば、図３に示すスイッチ板１が完成する。なお上記組み立て手順に種々の変更が可能であることはいうまでもない。
【００３０】
以上のようにして組み立てられたスイッチ板１は、図４に示すように、二組のスイッチ４４，４６上に取り付けた二組の反転板４９，５１を押圧シート５４を介して対向設置することで構成される二段スイッチ１０と、スイッチ４８によって構成される一段スイッチ３０とを、一つのケース９０内に隣接して設けた複数（二つ）の作動型物収納部９１，９３内に配置し、さらにこれら二つの作動型物収納部９１，９３内に前記二段スイッチ１０と一段スイッチ３０とをそれぞれ押圧する第一，第二の作動型物７０，８０を設置し、さらに前記ケース９０の両作動型物収納部９１，９３の上を銘板１１０によって覆って構成されている。
【００３１】
そして銘板１１０の作動型物収納部９１の中央真上の部分を押圧すれば（矢印Ｃ１）、銘板１１０が撓んで下降し、これによって第一の作動型物７０が下降することで、まず上側の反転板４９がクリック感覚を伴って反転してそのスイッチ４４がオンし、さらに銘板１１０を押圧すれば、さらに銘板１１０が撓んで下降し、これによって第一の作動型物７０がさらに下降することで、下側の反転板５１もクリック感覚を伴って反転してそのスイッチ４６がオンする。このとき対向する両反転板４９，５１の間には押圧シート５４が介在しているので、両反転板４９，５１は何れもその中央部分のみが押圧され、従って良好なクリック感覚と反転板４９，５１の耐久性の維持とが図れる。つまりもし押圧シート５４を介在しないで両反転板４９，５１を直接当接させた場合は、両反転板４９，５１は何れも相互にその広い面積が同時に押圧されるので、反転板４９，５１が徐々に潰れるように変形してしまってシャープなクリック感覚が生じず、またこのような変形を繰り返すことで反転板４９，５１の寿命が短くなってしまうが、本発明のように両反転板４９，５１の間にこれらより小径の押圧シート５４を介在させれば、このような問題は生じない。しかもこの二段スイッチ１０は、フレキシブル基板４０上に形成される二組のスイッチ４４，４６の反転板４９，５１を対向するように重ね合わせるとともに、対向する反転板４９，５１の間に薄い押圧シート５４を貼り付けるだけなので、その厚みの薄型化が図れる。以上のような一段目も二段目もクリック感覚を伴って二段階にスイッチがオンする二段スイッチが本実施形態で実施されている。
【００３２】
次に銘板１１０の作動型物収納部９３の中央真上の部分を押圧すれば（矢印Ｃ２）、銘板１１０が撓んで下降し、同時に押圧方向に弾性変形するヒンジ部９７が撓み、これによって第二の作動型物８０が下降することで、反転板５３がクリック感覚を伴って反転してそのスイッチ４８がオンする。そして前記銘板１１０への押圧を解除すれば、前記スイッチ４８がオフする。以上のようなクリック感覚を伴って一段階でスイッチがオンする一段スイッチが本実施形態で実施されている。
【００３３】
ところでこの実施形態において、第一の作動型物７０を、ケース９０の上下に貫通する作動型物収納部９１内に、独立して上下動自在に収納したのは、二段スイッチ１０の銘板１１０の上からの押圧操作力を適度なものにするためである。即ち第一の作動型物７０によって操作するスイッチは二段スイッチ１０であり、従って第二の作動型物８０によって操作する一段のスイッチに比べて、その押圧ストロークが長くなる。従って銘板１１０を第一の作動型物７０の上から押圧した場合、特に二段目のスイッチをオンする際は銘板１１０の撓み量は大きくなり、その押圧に必要な力は大きくなる。そこで第一の作動型物７０を独立して上下動するフリーの状態とすることで、これを押圧するのに必要な力を無くし、押圧に必要な力を銘板１１０を撓める力と反転板４９又は５１を反転するのに必要な力のみとし、これによって銘板１１０の上からの押圧操作力を適度なもの、即ちもう一方の一段スイッチ３０を押圧する押圧操作力と略同等の押圧操作力として、両スイッチ１０，３０の押圧操作力の相違による違和感をなくしたのである。
【００３４】
また第一の作動型物７０を、ケース９０の上下に貫通する作動型物収納部９１内に、独立して上下動自在に収納した他の理由は、前述のように二段スイッチ１０はその押圧ストロークが長いので、一段スイッチ３０を押圧する第二の作動型物８０のように片持ちのヒンジ部９７を設けると、第一の作動型物７０はこれを押圧して下降させた際に押圧ストロークが長い分だけヒンジ部の付け根の部分を中心により大きく揺動し、これによって二段スイッチ１０を押圧する押圧中心点が垂直下方よりも水平方向に無視できない程度にずれてしまい、クリック感覚が悪くなる恐れがあるからである。
【００３５】
一方、一段スイッチ３０の場合は、押圧ストロークが一段分だけなので、これを動作させるために銘板１１０を撓ませる量は少なくて良く、従ってたとえ第二の作動型物８０をヒンジ部９７でケース９０に連結していてこのヒンジ部９７を撓ませなければならなくても、その押圧操作力は適度なもの、即ち前記二段スイッチ１０と略同等の押圧操作力となる。また押圧ストロークが短いので、第二の作動型物８０がヒンジ部９７の付け根を中心に揺動しても、その押圧操作部１０５が反転板５３を押圧する位置は反転板５３の中心位置から水平方向に殆どずれず、クリック感覚が悪くなることもない。
【００３６】
なお場合によっては、第一の作動型物７０を、ケース９０の作動型物収納部９１内に独立して上下動自在に収納してなる構造に構成する代わりに、第二の作動型物８０と同様に、ヒンジによってケースに連結する構造としても良い。
【００３７】
図５は、本発明の第二実施形態にかかるスイッチ板１−２の分解斜視図である。同図において前記第一実施形態と同一部分には同一符号を付してその詳細な説明は省略する。この実施形態において前記第一実施形態と相違する点は、二段スイッチ１０を一つと、一段スイッチ３０を三つ設置した点のみである。このためこの実施形態のケース９０は、外周枠体９０ａの内部に十字状に内部枠体９０ｂを設け、これら外周枠体９０ａと内部枠体９０ｂに囲まれるように、一つの作動型物収納部９１と、三つの作動型物収納部９３とを設けている。作動型物収納部９１内には第一の作動型物７０が独立して上下動自在となるように収納され、三つの作動型物収納部９３内にはそれぞれヒンジ部９７を介して第二の作動型物８０が収納されている。
【００３８】
またケース９０の外形形状に合わせて銘板１１０及び両面接着シート１３０が形成され、同様にケース９０の外形形状に合わせてフレキシブル基板４０が形成され、フレキシブル基板４０の前記作動型物収納部９１に対向する位置には二段スイッチ１０が設置され、フレキシブル基板４０の前記三つの作動型物収納部９１に対向する位置には三つの一段スイッチ３０が設置されている。二段スイッチ１０を構成する反転板５１の膨出する上面中央には押圧シート５４が貼り付けられている。またフレキシブル基板４０の下面に両面接着シート１２０を貼り付けておく。
【００３９】
そして反転板４９を貼り付けた可動部５９を反転板５１を貼り付けたスイッチ４６の上に連結部５７を折り曲げることで重ね合わせ、重ね合わせた可動部５９の上面（即ち反転板４９を貼り付けた面の反対側の面）に両面接着シート１４０によって第一の作動型物７０の下面を貼り付け、さらにフレキシブル基板４０上に、銘板１１０を貼り付けたケース９０を載置し、そのときケース９０の下面から突出する図示しない係合部１０８，１０９（図４参照）をフレキシブル基板４０に設けた各係止孔６３，６５に挿入し、係合部１０８，１０９の先端をフレキシブル基板４０の下面側で熱カシメすれば、このスイッチ板１−２が完成する。なお上記組み立て手順に種々の変更が可能であることはいうまでもない。
【００４０】
以上のようにして組み立てられたスイッチ板１−２においても、銘板１１０の作動型物収納部９１の中央真上の部分を押圧すれば、銘板１１０が撓んで下降し、これによって第一の作動型物７０が下降することで、二段スイッチ１０が順番にオンする。一方銘板１１０の三つの内の何れかの作動型物収納部９３の中央真上の部分を押圧すれば、銘板１１０が撓んで下降し、同時に押圧方向に弾性変形するヒンジ部９７が撓み、これによって第二の作動型物８０が下降することで、反転板５３が反転してそのスイッチ４８がオンする。  
【００４１】
即ちこの実施形態にかかるスイッチ板１−２のように、ケース９０内には三つ以上の作動型物収納部９１，９３を設けても良い。その場合、二段スイッチ１０を設置する作動型物収納部９１を複数個設けても良い。要は複数の作動型物の内の一部の作動型物の下側に二段スイッチを設置し、他の作動型物の下側に一段スイッチを設置すればよい。
【００４２】
またこの実施形態においても、第一の作動型物７０を、ケース９０の作動型物収納部９１内に独立して上下動自在に収納してなる構造に構成する代わりに、第二の作動型物８０と同様に、ヒンジによってケースに連結する構造としても良い。
【００４３】
なお二段スイッチ１０として、メンブレンスイッチ等の、他の各種構造の二段スイッチを用いても良い。図６は本発明の第三実施形態にかかるスイッチ板１−３の断面拡大図（図４と同一部分の断面拡大図）である。同図において前記第一実施形態と同一部分には同一符号を付してその詳細な説明は省略する。この実施形態において前記第一実施形態と相違する点は、二段スイッチ１０の構造として、上側（第一の作動型物７０側）のスイッチ４４をメンブレンタイプのスイッチとした点のみである。即ちこの実施形態においては、上側のスイッチ４４に設置していた反転板４９を削除し、その代わりにフレキシブル基板４０の可動部５９を二重に折り返してその内側となる部分に形成された二つの接点パターンＳ１，Ｓ２を対向させ、スペーサ層Ｓ３によって所定距離離間するように設置し、これによってスイッチ４４を構成している。
【００４４】
そして銘板１１０の作動型物収納部９１の中央真上の部分を押圧すれば、銘板１１０が撓められて下降し、これによって第一の作動型物７０が下降して押圧シート５４によって押し上げられた接点パターンＳ２が接点パターンＳ１に当接することでスイッチ４４がオンし、さらに銘板１１０を押圧することで押圧シート５４が反転板５１の中央を押圧してこれを反転し、下側のスイッチ４６もオンする。なおさらにこの二段スイッチ１０は、前記スイッチ４４の接点パターンＳ２の反対側の面（下面）に反転板を取り付けた構造（即ち反転板をクリック板として用いた構造）としてもよい。
【００４５】
またこの実施形態においても、第一の作動型物７０を、ケース９０の作動型物収納部９１内に独立して上下動自在に収納してなる構造に構成する代わりに、第二の作動型物８０と同様に、ヒンジによってケースに連結する構造としても良い。
【００４６】
図７は本発明の第四実施形態にかかるスイッチ板１−４の断面拡大図（図４と同一部分の断面拡大図）である。同図において前記第三実施形態と同一部分には同一符号を付してその詳細な説明は省略する。この実施形態において前記第三実施形態と相違する点は、二段スイッチ１０の構造として、押圧シート５４を二つのスイッチ４４，４６間に設置する代りに、成形樹脂製の押圧部材１５０を設置した点である。即ちこの押圧部材１５０は二つのスイッチ４４，４６の間に設置される押圧部１５１と、押圧部１５１の上下動方向に弾性変形する薄板状に形成されたヒンジ部１５３，１５３と、ヒンジ部１５３，１５３の他端に取り付けられる基部１５５とを具備して構成されている。基部１５５は図示しない固定手段（接着やその他の固定手段）によってフレキシブル基板４０上に固定されている。
【００４７】
そして銘板１１０の作動型物収納部９１の中央真上の部分を押圧すれば、銘板１１０が撓められて下降し、これによって第一の作動型物７０が下降して押圧部１５１によって押し上げられた接点パターンＳ２が接点パターンＳ１に当接することでスイッチ４４がオンし、さらに銘板１１０を押圧することで押圧部１５１がヒンジ部１５３，１５３を撓めながら下降して反転板５１の膨出している中央部分を押圧してこれを反転し、下側のスイッチ４６もオンする。即ちこの実施形態にかかるスイッチ板１−４のように、押圧シート５４の代りに成形樹脂製の押圧部材１５０を設置しても良い。この実施形態においてもスイッチ４４の接点パターンＳ２の反対側の面（下面）に反転板を取り付けてもよい。
【００４８】
またこの実施形態においても、第一の作動型物７０を、ケース９０の作動型物収納部９１内に独立して上下動自在に収納してなる構造に構成する代わりに、第二の作動型物８０と同様に、ヒンジによってケースに連結する構造としても良い。
【００４９】
以上本明の実施形態を説明したが、本発明は上記実施形態に限定されるものではなく、特許請求の範囲、及び明細書と図面に記載された技術的思想の範囲内において種々の変形が可能である。なお直接明細書及び図面に記載のない何れの形状・構造・材質であっても、本願発明の作用・効果を奏する以上、本願発明の技術的思想の範囲内である。例えばスイッチ４４以外のスイッチ４６，４８についても、スイッチ接点パターン４５，４７上に反転板５１，５３を貼り付けて構成されるスイッチ構造の代りに、二枚のフレキシブル基板を重ね合わせ、両者の対向する側の面に所定の隙間を介して一対の接点パターンを対向設置してなる、いわゆるメンブレン構造のスイッチを用いても良い。その際一方の接点パターンの反対側の面に反転板を取り付けた構造（即ち反転板をクリック板として用いた構造）としてもよい。
【図面の簡単な説明】
【００５０】
【図１】本発明の第一実施形態にかかるスイッチ板１の分解斜視図である。
【図２】スイッチ板１の製造方法説明図である。
【図３】スイッチ板１の斜視図である。
【図４】スイッチ板１の断面拡大図である。
【図５】本発明の第二実施形態にかかるスイッチ板１−２の分解斜視図である。
【図６】本発明の第三実施形態にかかるスイッチ板１−３の断面拡大図（図４と同一部分の断面拡大図）である。
【図７】本発明の第四実施形態にかかるスイッチ板１−４の断面拡大図（図４と同一部分の断面拡大図）である。
【符号の説明】
【００５１】
１  スイッチ板
１０  二段スイッチ
３０  一段スイッチ
４０  フレキシブル基板
４３，４５，４７  スイッチ接点パターン
ａ１  中央接点パターン
ａ２  外周接点パターン
４４，４６，４８  スイッチ
４９，５１，５３  反転板
５４  押圧シート
５５  基部
５７  連結部
５９  可動部
６１  引出部
７０  第一の作動型物（作動型物）
８０  第二の作動型物（作動型物）
９０  ケース
９１  作動型物収納部
９３  作動型物収納部
９７  ヒンジ部
１０１  基部
１０３  操作部
１０５  押圧操作部
１０７  補強板部
１１０  銘板
１２０  両面接着シート
１３０  両面接着シート
１４０  両面接着シート
１−２  スイッチ板
９０ａ  外周枠体
９０ｂ  内部枠体
１−３  スイッチ板
Ｓ１，Ｓ２  接点パターン
Ｓ３  スペーサ層
１−４  スイッチ板
１５０  押圧部材
１５１  押圧部
１５３  ヒンジ部
１５５  基部
【図１】
2005293888.tif 000003
【図２】
2005293888.tif 000004
【図３】
2005293888.tif 000005
【図４】
2005293888.tif 000006
【図５】
2005293888.tif 000007
【図６】
2005293888.tif 000008
【図７】
2005293888.tif 000009